(57)【要約】【課題】風量を所望の設定風量に制御することが可能で、ファンモータに過電流が流れてファンモータから異音が発生したり、風量が所望の設定風量に達するまでに長い時間を要したりすることを抑制することが可能な、レンジフード用の風量制御装置を提供する。【解決手段】制御部が設定風量に応じて、記憶手段に記憶されたファンモータの回転速度と電気的入力値との関係（設定関係）に一致するように電気的入力値を制御するように構成された風量制御装置において、ファンモータを起動させるにあたり、制御部がファンモータに所定の始動電圧を印加することでファンモータを起動させ、ファンモータの起動後において、設定関係に一致するように求められた電気的入力値に対応する通常制御電圧が所定の始動電圧より所定許容電圧以上高いとき、制御部が、ファンモータに印加する電圧を所定の始動電圧から通常制御電圧に向かって所定上昇速度で増加させるように構成する。【選択図】図５
2019168168.tif 000002
【特許請求の範囲】
【請求項１】
ケーシングの中に配設され、ファンモータにより駆動される排気用ファンと、
前記排気用ファンの起動および停止を制御する制御部と、
前記制御部に、前記排気用ファンを起動させる指令、前記排気用ファンの起動後における前記排気用ファンによる排気についての設定風量の大小の指令、および、前記排気用ファンを停止させる指令を入力するスイッチを含むスイッチ部と、
前記ファンモータの回転速度と前記ファンモータへの電気的入力値との設定関係が、前記設定風量に応じて予め記憶される記憶手段とを備え、
前記制御部が、前記設定風量に応じて、前記ファンモータの回転速度と前記電気的入力値との関係が、前記記憶手段に記憶された前記設定関係に一致するように、前記電気的入力値を制御するように構成された風量制御装置であって、
前記ファンモータを停止状態から起動させるにあたり、前記制御部が前記ファンモータに所定の始動電圧を印加することで前記ファンモータを起動させ、
前記ファンモータの起動後において、前記設定関係に一致するように求められた前記電気的入力値に対応する通常制御電圧が、前記所定の始動電圧より所定許容電圧以上高いとき、前記制御部が、前記ファンモータに印加する電圧を前記所定の始動電圧から前記通常制御電圧に向かって所定上昇速度で増加させるように構成されていること
を特徴とするレンジフード用の風量制御装置。
【請求項２】
前記制御部が、前記所定上昇速度を前記設定風量に応じて変更するように構成されているとともに、
前記設定風量が大きくなるのに伴って前記所定上昇速度が大きくなり、前記設定風量が小さくなるのに伴って前記所定上昇速度が小さくなるように構成されていること
を特徴とする請求項１記載のレンジフード用の風量制御装置。
【発明の詳細な説明】
【技術分野】
【０００１】
本発明は、風量制御装置に関し、詳しくは、レンジフードに用いられる風量制御装置に関する。
【背景技術】
【０００２】
例えばガスコンロやガスグリルなどの調理機器を用いて調理を行う際に、調理排気を外部に排出するために用いられる換気装置の中には、排気装置と、排気装置を制御する制御部とを備えたレンジフードがある。
【０００３】
そして、そのようなレンジフードには、例えば、ケーシング内に配設された排気用ファンと、排気用ファンの起動・停止、排気用ファンによって排気される風量の制御などを行う制御部とを備え、風量制御を行うことができるように構成されたものがある。
【０００４】
ところで、風量制御装置として、特許文献１には、ファンを駆動するファンモータへの印加電圧を、予め求めた設定風量に対応したファンモータの目標回転速度とファンモータへの印加電圧との設定関係に基づいて制御することにより、風量を所定の風量（設定風量）に制御するようにした風量制御装置（浴室暖房換気装置）が開示されている。
【０００５】
この特許文献１の風量制御装置のように、風量を所望の設定風量に制御するために、ファンモータの目標回転速度と前記ファンモータへの印加電圧との関係が、予め求めたファンモータの目標回転速度とファンモータへの印加電圧との設定関係に一致するように制御を行う、いわゆる風量設定方式の風量制御装置の場合、ファンモータの起動直前においては、ファンモータの回転速度が０「ゼロ」であることから、「起動直後におけるファンモータの目標回転速度とファンモータへの印加電圧との関係」は、風量を所定の風量（設定風量）に制御するためのデータとしては用いることができない（意味をなさない）ものであるため、ファンモータの起動時には、所定の初期電圧を印加してファンモータを駆動することになる。
【先行技術文献】
【特許文献】
【０００６】
【特許文献１】特開２０１３−１８１６８３号公報
【発明の概要】
【発明が解決しようとする課題】
【０００７】
しかしながら、ファンモータの起動時には、所定の初期電圧を印加してファンモータを駆動するようにした場合において、上記所定の初期電圧が高すぎるとファンモータに過電流が流れファンモータから異音が発生するという問題点がある。
一方、上記所定の初期電圧が低すぎると、風量が所望の設定風量に達するまでに時間を要し、使い勝手が悪いという問題点がある。
【０００８】
本発明は、上記課題を解決するものであり、風量を所望の設定風量に制御することが可能で、しかも、ファンモータに過電流が流れてファンモータから異音が発生したり、風量が所望の設定風量に達するまでに長い時間を要したりすることを抑制することが可能な、レンジフード用の風量制御装置を提供することを目的とする。
【課題を解決するための手段】
【０００９】
上記の目的を達成するために、本発明のレンジフード用の風量制御装置は、
ケーシングの中に配設され、ファンモータにより駆動される排気用ファンと、
前記排気用ファンの起動および停止を制御する制御部と、
前記制御部に、前記排気用ファンを起動させる指令、前記排気用ファンの起動後における前記排気用ファンによる排気についての設定風量の大小の指令、および、前記排気用ファンを停止させる指令を入力するスイッチを含むスイッチ部と、
前記ファンモータの回転速度と前記ファンモータへの電気的入力値との設定関係が、前記設定風量に応じて予め記憶される記憶手段とを備え、
前記制御部が、前記設定風量に応じて、前記ファンモータの回転速度と前記電気的入力値との関係が、前記記憶手段に記憶された前記設定関係に一致するように、前記電気的入力値を制御するように構成された風量制御装置であって、
前記ファンモータを停止状態から起動させるにあたり、前記制御部が前記ファンモータに所定の始動電圧を印加することで前記ファンモータを起動させ、
前記ファンモータの起動後において、前記設定関係に一致するように求められた前記電気的入力値に対応する通常制御電圧が、前記所定の始動電圧より所定許容電圧以上高いとき、前記制御部が、前記ファンモータに印加する電圧を前記所定の始動電圧から前記通常制御電圧に向かって所定上昇速度で増加させるように構成されていること
を特徴としている。
【００１０】
本発明のレンジフード用の風量制御装置においては、
前記制御部が、前記所定上昇速度を前記設定風量に応じて変更するように構成されているとともに、
前記設定風量が大きくなるのに伴って前記所定上昇速度が大きくなり、前記設定風量が小さくなるのに伴って前記所定上昇速度が小さくなるように構成されていること
が好ましい。
【発明の効果】
【００１１】
本発明のレンジフード用の風量制御装置は、ファンモータを停止状態から起動させるにあたり、制御部がファンモータに所定の始動電圧を印加することでファンモータを起動させ、ファンモータの起動後において、設定関係に一致するように求められた（決定された）電気的入力値に対応する通常制御電圧が、所定の始動電圧より所定許容電圧以上高いとき、制御部が、ファンモータに印加する電圧を所定の始動電圧から通常制御電圧に向かって所定上昇速度で増加させるように構成されているので、風量を所望の設定風量に制御することが可能で、しかも、ファンモータに過電流が流れてファンモータから異音が発生したり、風量が所望の設定風量に達するまでに長い時間を要したりすることを抑制することが可能な、使い勝手のよいレンジフード用の風量制御装置を提供することができる。
【００１２】
また、制御部が、所定上昇速度を設定風量に応じて変更するように構成されているとともに、設定風量が大きくなるのに伴って所定上昇速度が大きくなり、設定風量が小さくなるのに伴って所定上昇速度が小さくなるように構成されている場合、設定風量に応じて所定上昇速度が求められる（決定される）ことから、設定風量が小さいときにファンモータに過大な電流が流れて異音が発生することを抑制することが可能であるとともに、設定風量が大きいときにも応答性よく設定風量となるように制御することが可能な、より使い勝手の良好なレンジフード用の風量制御装置を提供することができるようになる。
【図面の簡単な説明】
【００１３】
【図１】本発明の一実施形態にかかるレンジフード用の風量制御装置を用いたレンジフードを示す図であって、整流板の他辺をフード部に係止させた、使用可能状態にあるレンジフードを示す側面断面図である。
【図２】本発明の一実施形態にかかるレンジフード用の風量制御装置を用いたレンジフードを示す図であって、整流板の他辺をフード部に係止させた、使用可能状態にあるレンジフードを示す正面断面図である。
【図３】レンジフードを構成するファンモータのＰＱ特性と通風路の負荷特性との関係を示す図である。
【図４】レンジフードを構成するファンモータの回転速度と印加電力との設定関係を示す図である。
【図５】本発明の実施形態にかかるレンジフード用の風量制御装置の動作を説明するためのフローチャートである。
【発明を実施するための形態】
【００１４】
以下、本発明の実施形態を示して、その特徴とするところをさらに詳しく説明する。
【００１５】
図１は本発明の一実施形態にかかるレンジフード用の風量制御装置が用いられているレンジフード１の側面断面図であり、図２は正面断面図である。
【００１６】
＜レンジフードの基本構成１＞
本実施形態にかかるレンジフード１は、台所などに設置されるコンロ（図示せず）の上方などに配設されるレンジフードである。
【００１７】
本発明の風量制御装置が用いられているレンジフード（以下単にレンジフードともいう）１は、図１、図２に示すように、吸い込み部を有する排気用ファン４と、排気用ファン４を収容するケーシング２と、整流板８を揺動可能に取り付けたフード部３とを備えている。排気用ファン４としては、例えば遠心ファンが用いられる。
【００１８】
排気用ファン４の上部には、排気用ファン４を駆動するファンモータ５が取り付けられている。
【００１９】
ケーシング２の底壁側には、下方に開口した排気用吸い込み口７が形成されており、排気用ファン４の吸い込み部が排気用吸い込み口７と連通している。排気用ファン４の吹き出し部に接続された排気ダクト３０は、ケーシング２の外部へ延びている。
【００２０】
フード部３は、下面が開口された平面視矩形状に形成されている。
【００２１】
フード部３の下面は隔壁１３により構成され、フード部３の上面は天板２１により構成されている。
【００２２】
天板２１はケーシング２の底壁の排気用吸い込み口７を塞がないように配置されている。天板２１と隔壁１３との間の領域は、制御部（図示せず）、スイッチ部６、近接センサ（図示せず）などの配線を行うための配線用通路２３として利用することができるように構成されている。
【００２３】
隔壁１３の下方には、平面視矩形状の整流板８が配設されている。この整流板８の外周端部とフード部３の外周側壁との間に環状で幅の狭い流路（狭幅流路）９が形成されている。また、隔壁１３の下面と整流板８の上面との間の領域はフード内通路２２となっており、このフード内通路２２を介して環状の流路９とケーシング２の底壁の排気用吸い込み口７とが連通している。
【００２４】
ここで、環状の流路９が幅の狭い狭幅流路とされていることから、整流板８に当たった汚染空気がこの環状の流路（狭幅流路）９内ヘと高速で流入し、これにより、ケーシング２の側方への汚染空気の溢流が抑制されて、ケーシング２の底壁の排気用吸い込み口７を経由する汚染空気の捕獲率が向上する。
【００２５】
また、上記フード部３の前面（図１における左側）には、上記スイッチ部６が配設されている。スイッチ部６には、制御部（図示せず）に対して、排気用ファン４を起動させる指令、排気用ファン４の起動後における排気用ファン４による排気についての設定風量の大小の指令（回転速度の指令）、および、排気用ファン４を停止させる指令を入力するためのスイッチなどが含まれている。
【００２６】
具体的には、スイッチ部６は、停止スイッチ、強スイッチ、中スイッチ、弱スイッチ、照明スイッチ、チャイルドロックスイッチを備えている。このスイッチ部６は、押し操作している間だけ接点を閉じられるモーメンタリスイッチ（例えば、タクトスイッチ）が用いられている。また、各スイッチの操作面は図示しないメンブレンシートにより覆われている。
【００２７】
スイッチ部６からの指令信号は、制御部（図示せず）に入力される。制御部は、スイッチ部６からの信号に応じて排気用ファン４の起動および起動後の回転速度および停止を制御する。
【００２８】
本実施形態では、チャイルドロックスイッチを所定時間（例えば、３秒）以上継続して押し操作すると、排気用ファン４の運転中には排気用ファン４の運転を停止し、また、排気用ファン４の運転停止中に強スイッチ、中スイッチ、あるいは弱スイッチが押し操作されても排気用ファン４の回転を開始しない状態である、チャイルドロックモードに移行する。これにより老齢者などの誤操作を未然に防止することができる。
【００２９】
また、チャイルドロックモードにおいて、チャイルドロックスイッチを所定時間（例えば、３秒）以上継続して押し操作すると、チャイルドロックモードが解除されて、通常モード用制御に切り換わり、強スイッチ、中スイッチ、あるいは、弱スイッチが押し操作されることにより、排気用ファン４の回転が可能な状態となる。
【００３０】
また、強スイッチ、中スイッチ、あるいは、弱スイッチが押し操作されて、排気用ファン４が強回転、中回転、あるいは、弱回転して、レンジフード１が稼働しているときには、台所などに設置されたコンロで発生した上昇汚染空気流が、コンロ上方の吸い込み口（狭幅流路９）からレンジフード１内に吸引され、排気用ファン４、排気ダクト３０を経て屋外へ排出される。
【００３１】
また、フード部３内の後端側には、照明用のランプ５０を設置するための照明器具設置部５１が収納されている。スイッチ部６の照明スイッチを押し操作することによりランプ５０に通電され、また、ランプ５０に通電された状態で、再度、照明スイッチを押し操作することによりランプ５０への通電が遮断される。
【００３２】
本実施形態において、上記ランプ５０は、整流板８の一辺８ａ側に開設された透光孔３２に臨ませて配置されている。透光孔３２の周囲は、整流板８の一部を上方に膨出させた膨出部３１により囲まれている。
【００３３】
膨出部３１は、ランプ５０に向かって上り勾配となるように傾斜して形成されており、ランプ５０の光は膨出部３１の下側に開口している透光孔３２を通ってレンジフード１の下方に向けて照射されるように構成されている。
【００３４】
なお、本実施形態においては、膨出部３１が、整流板８の一辺８ａと平行な左右方向に長く形成されており、これに伴って透光孔３２も左右方向に長く開口し、レンジフード１の下方への照明効果が高くなるように構成されている。
【００３５】
さらに前記膨出部３１は、フード部３内の隔壁１３と整流板８の間のフード内通路２２内に流れ込む空気の流れ（空気流）のバランスを良好に保つ働きもする。つまり、汚染空気は図１の矢印ａで示すように、環状の狭幅流路９からフード内通路２２内に吸い込まれ、さらに矢印ａ１，ａ２で示すように、ケーシング２の底壁の排気用吸い込み口７から排気用ファン４に吸い込まれる。
【００３６】
このとき、整流板８において、透光孔３２を形成するために、単に整流板８の一辺８ａの一部を切り欠いただけでは、狭幅流路９における透光孔３２の形成箇所付近の汚染空気通過用流路幅が狭幅流路９における他の部分より広くなり、それに起因して汚染空気の流速が低下し、汚染空気の捕捉率が低下してしまうことになる。
【００３７】
そのため、本実施形態では、膨出部３１によってフード内通路２２における整流板８とフード部３の下面との間隔を狭くなるように構成して、汚染空気の流速の低下を防いで、汚染空気の捕捉率の低下を防止するようにしている。
【００３８】
整流板８の一辺８ａは、フード部３の後端側（図１における右側）に揺動可能に軸支されており、該一辺８ａと対向する他辺８ｂは、フード部３の前端側に係止すること、および、係止した状態を解除することができるように構成されている。
【００３９】
すなわち、特に図示しないが、フード部３の他辺８ｂがフード部３の前端側に係止されていない状態（非係止状態）になると、整流板８はその一辺８ａ側を支軸として、他辺８ｂが下方に回動した状態となり、この状態が整流板８の非使用状態となる。
【００４０】
これに対し、整流板８の他辺８ｂがフード部３の前端側に係止した、図１、図２に示す状態が、整流板８の使用状態となる。
なお、整流板８の係止構成に関しては、これ以上の詳細な説明は省略する。
【００４１】
＜レンジフードの基本構成２＞
上述の制御部は、記憶部を備えている。そして、記憶部には、ファンモータ５の目標回転速度と、ファンモータ５への電気的入力値である印加電力との関係、すなわち「設定関係Ｓ」が予め記憶されている。
【００４２】
そして、制御部は、この「設定関係Ｓ」の情報に基づいて、ファンモータ５の回転速度が、スイッチ部６における強スイッチ、中スイッチ、弱スイッチにより設定された換気量（大）（設定風量＝大）、換気量（中）（設定風量＝中）、換気量（小）（設定風量＝小）の設定風量に対応する回転速度である「ファンモータ５の目標回転速度」になるように、ファンモータ５への印加電力を制御する。
【００４３】
ここで、制御部がファンモータ５への印加電力を制御するための、ファンモータ５の目標回転速度とファンモータ５への印加電力との関係である「設定関係Ｓ」について説明する。
【００４４】
例えば、設定風量が大（例えば１００ｍ3／ｈ）であるとする。
【００４５】
図３は、
（ａ）排気用ファン４を駆動するファンモータ５に印加される電力（印加電力）が、ＥＰ１、ＥＰ２、ＥＰ３、ＥＰ４、ＥＰ５（ＥＰ１＜ＥＰ２＜ＥＰ３＜ＥＰ４＜ＥＰ５）であるときの、レンジフード１の、排気用ファン４によって通風する通風量Ｑに対する、排気部における静圧と吸気部における静圧との差圧Ｐの特性を示すＰＱ特性（ＥＰ１〜ＥＰ５で示される右下がりの曲線）と、
（ｂ）排気用ファン４によって通風する通風路の通風抵抗が、Ｌ１、Ｌ２、Ｌ３、Ｌ４、Ｌ５（Ｌ１＜Ｌ２＜Ｌ３＜Ｌ４＜Ｌ５）であるときの、通風路における圧力損失（差圧）Ｐと通風量Ｑとの関係を示すＰＱ特性（Ｌ１〜Ｌ５で示される右上がりの曲線）、
の２つのＰＱ特性を示している。
【００４６】
図３において、破線ＤＬは、設定風量が大（風量＝Ｑ１（例えば１００ｍ3／ｈ）とする）で一定である線を表しており、通風路の通風抵抗が種々異なる場合であっても、通風路の通風抵抗に応じてファンモータ５への印加電力を調節することで、以下に説明するように、排気用ファン４によって通風する通風量をＱ１に合致させることができる。
【００４７】
（１）通風路の通風抵抗がＬ１のときには、通風路の通風抵抗がＬ１のときの通風路のＰＱ特性の曲線と破線ＤＬとの交点、つまり、○印１で示される点において、通風路の通風抵抗がＬ１のときの通風路のＰＱ特性の曲線と、排気用ファン４のＰＱ特性の曲線とが交差すれば、通風抵抗がＬ１の通風路にＱ１の通風量で通風されることになるので、ファンモータ５への印加電力をＥＰ１に調節することで通風量はＱ１となる。
【００４８】
（２）同様に、○印２で示される点において、通風路の通風抵抗がＬ２のときにファンモータ５への印加電力をＥＰ２に調節することで、また、
○印３で示される点において、通風路の通風抵抗がＬ３のときにはファンモータ５への印加電力をＥＰ３に調節することで、また、
○印４で示される点において、通風路の通風抵抗がＬ４のときにはファンモータ５への印加電力をＥＰ４に調節することで、また、
○印５で示される点において、通風路の通風抵抗がＬ５のときにはファンモータ５への印加電力をＥＰ５に調節することで、
通風量はＱ１となる。
【００４９】
（３）一方、ファンモータ５への印加電力がＥＰ１のときに、Ｑ１の通風量で通風されている場合のファンモータ５の回転速度Ｎ１となる。この回転速度Ｎ１は、排気用ファン４固有の値である。
同様に、ファンモータ５への印加電力がＥＰ２のときに、Ｑ１の通風量で通風されている場合のファンモータ５の回転速度Ｎ２となり、また、
ファンモータ５への印加電力がＥＰ３のときに、Ｑ１の通風量で通風されている場合のファンモータ５の回転速度Ｎ３となり、また、
ファンモータ５への印加電力がＥＰ４のときに、Ｑ１の通風量で通風されている場合のファンモータ５の回転速度Ｎ４となり、また、
ファンモータ５への印加電力がＥＰ５のときに、Ｑ１の通風量で通風されている場合のファンモータ５の回転速度Ｎ５となる。
【００５０】
そして、これらの回転速度Ｎ２，回転速度Ｎ３、回転速度Ｎ４、および、回転速度Ｎ５も、上述の回転速度Ｎ１と同様に、排気用ファン４固有の値である。
【００５１】
したがって、Ｑ１の通風量で通風されている場合には、ファンモータ５の回転速度Ｎとファンモータ５への印加電力ＥＰとの関係は、
Ｎ＝Ｎ１のときにはＥＰ＝ＥＰ１、
Ｎ＝Ｎ２のときにはＥＰ＝ＥＰ２、
Ｎ＝Ｎ３のときにはＥＰ＝ＥＰ３、
Ｎ＝Ｎ４のときにはＥＰ＝ＥＰ４、
Ｎ＝Ｎ５のときにはＥＰ＝ＥＰ５
となる関係が成立する。
【００５２】
換言すれば、
Ｎ＝Ｎ１のときにはＥＰ＝ＥＰ１、
Ｎ＝Ｎ２のときにはＥＰ＝ＥＰ２、
Ｎ＝Ｎ３のときにはＥＰ＝ＥＰ３、
Ｎ＝Ｎ４のときにはＥＰ＝ＥＰ４、
Ｎ＝Ｎ５のときにはＥＰ＝ＥＰ５
となる関係を満たすように、ファンモータ５への印加電力ＥＰを調節することにより、通風路の通風抵抗が未知であってもＱ１の通風量で通風させることができる。
【００５３】
ここで、一般に、レンジフードなどの換気装置によって通風換気される通風路の通風抵抗は、上記Ｌ１〜Ｌ５のように離散的な値をとるのではなく、種々の値をとり得るものであるが、通常は設定換気量、および、２４時間設定換気量などの設定風量毎に、ファンモータ５の回転速度Ｎとファンモータ５への印加電力ＥＰとの関係である「設定関係Ｓ」を予め求めておき、ファンモータ５の回転速度Ｎとファンモータ５への印加電力ＥＰとの関係が「設定関係Ｓ」に一致するように、ファンモータ５への印加電力ＥＰを制御すれば、レンジフード１によって通風換気される通風量が、通常設定換気量、および、２４時間設定換気量などの設定風量に調節されることになる。
【００５４】
すなわち、上述の制御部が、ファンモータ５の目標回転速度とファンモータ５への印加電力との「設定関係Ｓ」に基づいて、スイッチ部６における強スイッチ、中スイッチ、弱スイッチにより設定された換気量（大）（設定風量＝大）、換気量（中）（設定風量＝中）、換気量（小）（設定風量＝小）などの設定風量に対応するファンモータ５の目標回転速度になるように、ファンモータ５への印加電力を制御するように構成すれば、通風量が所望の設定風量に制御されることになる。
【００５５】
本実施形態におけるレンジフード１の風量制御装置においては、図４に示すように、制御部が備える記憶部には、通風量に応じて、ファンモータ５の目標回転速度Ｎとファンモータ５への印加電力ＰＯとの設定関係Ｓ１を示す情報が予め求められ、記憶されている。なお、この図４の設定関係Ｓ１は、通風量Ｑ１（換気量（大）（設定風量＝大））に対応するものである。
【００５６】
なお、制御部が備える記憶部には、さらに、通風量Ｑ２に対応する設定関係Ｓ２、通風量Ｑ３に対応する設定関係Ｓ３、通風量Ｑ４に対応する設定関係Ｓ４、通風量Ｑ５に対応する設定関係Ｓ５などが予め求められ、記憶されている。
＜特徴的構成＞
【００５７】
本実施形態にかかるレンジフード１は、さらに以下に示すような特徴的構成を備えている。
【００５８】
スイッチ部６における強スイッチ、中スイッチ、弱スイッチのいずれかが操作されて、レンジフード１が起動する際、つまり、ファンモータ５が停止状態から起動する際、制御部がファンモータ５に所定の始動電圧Ａ（本実施形態では、始動電圧Ａ＝３０Ｖ）を印加した後、ファンモータ５の起動後において、上記設定関係Ｓに一致するように求められた（決定された）電気的入力値に対応する通常制御電圧Ｖｓｐが所定の始動電圧Ａ（本実施形態では、始動電圧Ａ＝３０Ｖ）より所定許容電圧Ｂ以上高いときには、制御部が、ファンモータ５に印加する電圧を所定の始動電圧Ａ（本実施形態では、始動電圧Ａ＝３０Ｖ）から上記通常制御電圧Ｖｓｐに向かって所定上昇速度α（すなわちαＶ／秒）で増加させるように構成されている。
【００５９】
この点に関して、以下、図５に示すフローチャートを参照して説明を加える。
【００６０】
本実施形態にかかるレンジフード１においては、スイッチ部６における強スイッチ、中スイッチ、弱スイッチのいずれかが操作されて、レンジフード１が起動する際に、図５に示す起動電流制御サブルーチンを実行する。
【００６１】
起動電流制御サブルーチンでは、先ず、Ｓ００１でファンモータ５に始動電圧Ａが印加される。
【００６２】
次に、Ｓ００２で、（ファンモータ始動直後のＶｓｐ−始動電圧Ａ）が所定許容電圧Ｂより低いか否かが判定される。
【００６３】
そして、Ｓ００２で、（ファンモータ始動直後のＶｓｐ−始動電圧Ａ）が所定許容電圧Ｂより低いと判定された場合は、Ｓ００３に進んで、ファンモータ５に印加される電圧ＶＭがＶｓｐに設定され（電圧ＶＭ＝Ｖｓｐ）、ファンモータ５には、設定関係Ｓに一致するように求められた（決定された）電気的入力値に対応する通常制御電圧Ｖｓｐが印加されることになる。
【００６４】
一方、Ｓ００２で、（ファンモータ始動直後のＶｓｐ−始動電圧Ａ）が所定許容電圧Ｂより低くない、つまり、設定関係Ｓに一致するように求められた（決定された）電気的入力値に対応する通常制御電圧Ｖｓｐが、所定の始動電圧Ａ（本実施形態では、始動電圧Ａ＝３０Ｖ）より所定許容電圧Ｂ（本実施形態ではＢ＝５Ｖ）以上高いと判定された場合は、Ｓ００４に進んで、αＶ／秒の上昇速度で、ファンモータ５に印加される電圧ＶＭを変化させながら、ファンモータ５に印加される電圧ＶＭをＶｓｐにまで上昇させる。
【００６５】
本実施形態にかかるレンジフード１に用いられている風量制御装置は、上記のように構成されおり、ファンモータ５に印加される電圧ＶＭを、始動電圧Ａから所定の上昇速度（αＶ／秒）で上昇させ、通常制御電圧Ｖｓｐにまで上昇させるようにしているので、風量を所望の設定風量に制御することが可能で、しかも、ファンモータ５に過電流が流れファンモータ５から異音を発生したり、風量が所望の設定風量に達するまでに要する時間が長くなり過ぎたりすることのないレンジフード用の風量制御装置を実現することができる。
【００６６】
なお、本実施形態では、制御部が、ファンモータ５に印加される電圧ＶＭの所定上昇速度（αＶ／秒）を、スイッチ部６における強スイッチ、中スイッチ、弱スイッチによって設定される設定風量に応じて変更するように構成されている。すなわち、強スイッチ、中スイッチ、弱スイッチによって設定される設定風量が大きいときには設定風量が小さいときに比べて所定上昇速度（αＶ／秒）が大きくなるように、電圧ＶＭの所定上昇速度（αＶ／秒）を変更するように構成されている。
【００６７】
具体的には、スイッチ部６における強スイッチが操作されて、設定風量が大（風量＝Ｑ１（例えば１００ｍ3／ｈ））に設定されているときには、α＝３０として、３０Ｖ／秒の上昇速度で、ファンモータに印加される電圧ＶＭを始動電圧Ａから上昇させる。
【００６８】
また、スイッチ部６における中スイッチが操作されて、設定風量が中（風量＝Ｑ２（例えば７０ｍ3／ｈ））に設定されているときには、α＝２０として、２０Ｖ／秒の上昇速度で、ファンモータに印加される電圧ＶＭを始動電圧Ａから上昇させる。
【００６９】
また、スイッチ部６における弱スイッチが操作されて、設定風量が小（風量＝Ｑ３（例えば５０ｍ3／ｈ））に設定されているときには、α＝１５として、１５Ｖ／秒の上昇速度で、ファンモータに印加される電圧ＶＭを始動電圧Ａから上昇させる。
【００７０】
本実施形態にかかる風量制御装置が用いられているレンジフード１は上記のように構成されおり、設定風量に応じて所定上昇速度（αＶ／秒）が求められる（決定される）ので、設定風量が大きいときにも応答性よく制御されるため、風量を所望の設定風量にまで速やかに増大させることが可能になり、一層使い勝手の良いレンジフード１を実現することができる。
【００７１】
本発明は、上記実施形態に限定されるものではなく、本発明の範囲内において種々の変形を加えることが可能である。
【符号の説明】
【００７２】
１      レンジフード
２      ケーシング
３      フード部
４      排気用ファン
５      ファンモータ
６      スイッチ部
７      排気用吸い込み口
８      整流板
８ａ    整流板の一辺
８ｂ    整流板の他辺
９      環状の流路（狭幅流路）
１３    隔壁
２１    天板
２２    フード内通路
２３    配線用通路
３０    排気ダクト
３１    膨出部
３２    透光孔
５０    ランプ
５１    照明器具設置部
ａ、ａ１、ａ２    汚染空気の流れを示す矢印
ＤＬ      設定風量が大で一定である線（破線）
【図１】
2019168168.tif 000003
【図２】
2019168168.tif 000004
【図３】
2019168168.tif 000005
【図４】
2019168168.tif 000006
【図５】
2019168168.tif 000007